【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
輸送手段のコンポーネント上の不整合を有する前記輸送手段のためのリワークシステムであって、
データ処理システムを含み、リワーク手順が行われるべきであるかどうかを確かめるために、前記不整合が要求された許容誤差または規格の外に前記輸送手段をもたらすかどうかを決定することによりリワークパラメータアレイを検査するように構成されたリワーク査定部であって、前記リワークパラメータアレイは、少なくとも前記コンポーネントの体積、前記不整合のタイプ、および、前記輸送手段の前記コンポーネントに対する前記不整合の位置座標を定義し、前記位置座標は、前記リワーク査定部が、前記輸送手段の静的負荷モデル、前記輸送手段の動的負荷モデル、前記輸送手段の応力／歪みモデル、前記輸送手段の強度解析モデルのうち、少なくとも１つに結合されるように指定される、リワーク査定部と、
前記リワーク査定部と通信するリワーク質問部であって、前記リワーク質問部は、リワークが行われるべきであるとき、前記不整合に対処するための候補を識別するように構成され、前記候補は、候補パーツ、候補リワーク手順、ならびに、前記候補パーツおよび前記候補リワーク手順の両方を含むグループから選択される、リワーク質問部と
を備え、
前記リワーク質問部は、前記候補を識別するとき、即時リワークモジュールの経験則基準モジュールから、入力としての経験則基準の受信、および、リワークメタモデルの探索のうち、少なくとも１つを行うようにさらに構成され、
前記経験則基準モジュールは、リワークプラン、リワーク手順またはパーツのガイドラインを提供する経験則基準を蓄積する１つまたは複数のデータベースを含み、
前記リワークメタモデルは、リワーク処理及び／またはパーツを蓄積する１つまたは複数のデータベースを含む、リワークライブラリーメタモジュールに蓄積されるリワークシステム。
【請求項２】
前記リワーク査定部および前記リワーク質問部と通信する候補評価部であって、前記リワークパラメータアレイおよび前記候補を解析するように構成された候補評価部をさらに備え、前記候補評価部は、前記解析を使用して、前記候補を選択する、請求項１に記載のリワークシステム。
【請求項３】
前記候補は複数の候補を備え、前記リワークシステムは、
前記複数の候補から選択された候補のユーザ選択を受信するためのユーザ入力デバイスと、
前記リワーク査定部および前記リワーク質問部と通信し、前記リワークパラメータアレイおよび前記選択された候補を解析するように構成された候補評価部であって、前記候補評価部は、前記解析を使用して、前記選択された候補を検証する候補評価部と
をさらに備える、請求項１に記載のリワークシステム。
【請求項４】
前記リワークパラメータアレイは、前記コンポーネントのための基板仕様または情報、および、前記輸送手段の動作中に前記コンポーネントに加えられる負荷のうち、１つまたは複数をさらに定義する、請求項１に記載のリワークシステム。
【請求項５】
前記不整合を評価するための不整合評価部をさらに備え、前記不整合評価部は、前記リワークパラメータアレイを作り出すように構成される、請求項３に記載のリワークシステム。
【請求項６】
前記リワークパラメータアレイを生成するための有限要素モデル生成部をさらに備え、
前記有限要素モデル生成部は、１つまたは複数のリワークシナリオ、および、前記コンポーネントと同じかあるいは類似の１つまたは複数のコンポーネントの、１つまたは複数のパラメータ化された、前から存在するモデルを使用して、前記リワークパラメータアレイを生成するように構成され、かつ
前記リワークパラメータアレイは、受信されたユーザ入力によってさらに精緻化される、請求項３に記載のリワークシステム。
【請求項７】
前記有限要素モデル生成部は、前記コンポーネントの外側モールドラインのメッシュ、前記コンポーネントの内部構造のメッシュ、前記コンポーネントの材料モデル、前記コンポーネントの１つまたは複数の特性、前記コンポーネントに加えられる１つまたは複数の負荷、および、前記コンポーネントまたは前記候補リワーク手順の１つまたは複数の境界条件を含むグループのうち、少なくとも１つを使用することによって、前記リワークパラメータアレイを生成するように構成される、請求項６に記載のリワークシステム。
【請求項８】
前記リワークパラメータアレイは、前記コンポーネントのセクションの長さ、前記コンポーネントのセクションの幅、前記コンポーネントの材料、前記コンポーネントのレイアップ、および、前記コンポーネントの剛性を含むグループから選択された、少なくとも１つの基準を含む、請求項１に記載のリワークシステム。
【請求項９】
輸送手段のコンポーネント上の不整合をリワークする方法であって、前記方法が、
データ処理システムを含むリワーク査定部およびリワーク質問部を備えるツールを使用することであって、
少なくとも前記コンポーネントの体積、前記不整合のタイプ、および、前記輸送手段の前記コンポーネントに対する前記不整合の位置座標を定義するリワークパラメータアレイを、前記リワーク査定部により前記不整合が要求された許容誤差または規格の外に前記輸送手段をもたらすかどうかを決定することにより検査し、前記位置座標は、前記リワーク査定部が、前記輸送手段の静的負荷モデル、前記輸送手段の動的負荷モデル、前記輸送手段の応力／歪みモデル、前記輸送手段の強度解析モデルのうち、少なくとも１つに結合されるように指定されること、および
前記不整合に対処するための候補を前記リワーク質問部により識別することであって、前記候補は、候補パーツ、候補リワーク手順、ならびに、前記候補パーツおよび前記候補リワーク手順の両方を含むグループから選択される、前記不整合に対処するための候補を識別すること
を備える使用することと、
前記ツールから、前記不整合に対するリワーク処理中に使用するための前記候補を識別することと
を備え、
前記リワーク質問部は、前記候補を識別するとき、即時リワークモジュールの経験則基準モジュールから入力としての経験則基準の受信、および、リワークメタモデルの探索のうち、少なくとも１つを行うようにさらに構成され、
前記経験則基準モジュールは、リワークプラン、リワーク手順またはパーツのガイドラインを提供する経験則基準を蓄積する１つまたは複数のデータベースを含み、
前記リワークメタモデルは、リワーク処理及び／またはパーツを蓄積する１つまたは複数のデータベースを含む、リワークライブラリーメタモジュールに蓄積され
る方法。
【請求項１０】
前記ツールは、前記不整合に対処するための第２の候補をさらに識別し、前記第２の候補は、第２の候補パーツ、第２の候補リワーク手順、ならびに、前記第２の候補パーツおよび前記第２の候補リワーク手順の両方を含むグループから選択され、前記方法は、
前記第２の候補の方を選ぶ、前記候補のユーザ選択を受信することをさらに備える、請求項９に記載の方法。
【請求項１１】
前記ツールは候補評価部をさらに備え、使用することは、前記不整合に対処するための第２の候補を識別することをさらに備え、前記第２の候補は、第２の候補パーツ、第２の候補リワーク手順、ならびに、前記第２の候補パーツおよび前記第２の候補リワーク手順の両方を含むグループから選択され、前記方法は、
前記リワークパラメータアレイ、前記候補、および、前記第２の候補を解析することと、
前記第２の候補の方を選ぶように前記候補を選択することと
をさらに備える、請求項９に記載の方法。
【請求項１２】
前記ツールは、不整合評価部および有限要素モデル生成部をさらに備え、使用することは、
前記不整合評価部を使用して、前記リワークパラメータアレイを作り出すことと、
前記有限要素モデル生成部を使用して、前記リワークパラメータアレイを生成することと
をさらに備える、請求項９に記載の方法。
【手続補正２】
【補正対象書類名】明細書
【補正対象項目名】０１８０
【補正方法】変更
【補正の内容】
【０１８０】
２０．ツールはさらに有限要素モデル生成部を備え、使用することはさらに、
有限要素モデル生成部を使用して、リワークパラメータアレイを生成することを備える、実施形態１６に記載の方法。
また、本願は以下に記載する態様を含む。
（態様１）
輸送手段のコンポーネント上の不整合を有する前記輸送手段のためのリワークシステムであって、
リワーク手順が行われるべきであるかどうかを確かめるために、リワークパラメータアレイを検査するように構成されたリワーク査定部であって、前記リワークパラメータアレイは、少なくとも前記コンポーネントの体積、前記不整合のタイプ、および、前記輸送手段の前記コンポーネントに対する前記不整合の位置座標を定義する、リワーク査定部と、
前記リワーク査定部と通信するリワーク質問部であって、前記リワーク質問部は、リワークが行われるべきであるとき、前記不整合に対処するための候補を識別するように構成され、前記候補は、候補パーツ、候補リワーク手順、ならびに、前記候補パーツおよび前記候補リワーク手順の両方を含むグループから選択される、リワーク質問部と
を備える、リワークシステム。
（態様２）
前記リワーク査定部および前記リワーク質問部と通信する候補評価部であって、前記リワークパラメータアレイおよび前記候補を解析するように構成された候補評価部をさらに備え、前記候補評価部は、前記解析を使用して、前記候補を選択する、態様１に記載のリワークシステム。
（態様３）
前記候補は複数の候補を備え、前記リワークシステムは、
前記複数の候補から選択された候補のユーザ選択を受信するためのユーザ入力デバイスと、
前記リワーク査定部および前記リワーク質問部と通信し、前記リワークパラメータアレイおよび前記選択された候補を解析するように構成された候補評価部であって、前記候補評価部は、前記解析を使用して、前記選択された候補を検証する候補評価部と
をさらに備える、態様１に記載のリワークシステム。
（態様４）
前記リワークパラメータアレイは、前記コンポーネントのための基板仕様または情報、および、前記輸送手段の動作中に前記コンポーネントに加えられる負荷のうち、１つまたは複数をさらに定義する、態様１に記載のリワークシステム。
（態様５）
前記不整合を評価するための不整合評価部をさらに備え、前記不整合評価部は、前記リワークパラメータアレイを作り出すように構成され、
前記リワーク質問部は、前記候補を識別するとき、入力としての経験則基準の受信、および、リワークメタモデルの探索のうち、少なくとも１つを行うようにさらに構成される、態様３に記載のリワークシステム。
（態様６）
前記リワークパラメータアレイを生成するための有限要素モデル生成部をさらに備え、
前記有限要素モデル生成部は、１つまたは複数のリワークシナリオ、および、前記コンポーネントと同じかあるいは類似の１つまたは複数のコンポーネントの、１つまたは複数のパラメータ化された、前から存在するモデルを使用して、前記リワークパラメータアレイを生成するように構成され、かつ
前記リワークパラメータアレイは、受信されたユーザ入力によってさらに精緻化される、態様３に記載のリワークシステム。
（態様７）
前記有限要素モデル生成部は、前記コンポーネントの外側モールドラインのメッシュ、前記コンポーネントの内部構造のメッシュ、前記コンポーネントの材料モデル、前記コンポーネントの１つまたは複数の特性、前記コンポーネントに加えられる１つまたは複数の負荷、および、前記コンポーネントまたは前記候補リワーク手順の１つまたは複数の境界条件を含むグループのうち、少なくとも１つを使用することによって、前記リワークパラメータアレイを生成するように構成される、態様６に記載のリワークシステム。
（態様８）
前記リワークパラメータアレイは、前記コンポーネントのセクションの長さ、前記コンポーネントのセクションの幅、前記コンポーネントの材料、前記コンポーネントのレイアップ、および、前記コンポーネントの剛性を含むグループから選択された、少なくとも１つの基準を含む、態様１に記載のリワークシステム。
（態様９）
輸送手段のコンポーネント上の不整合をリワークする方法であって、前記方法が、
リワーク査定部およびリワーク質問部を備えるツールを使用することであって、
少なくとも前記コンポーネントの体積、前記不整合のタイプ、および、前記輸送手段の前記コンポーネントに対する前記不整合の位置座標を定義するリワークパラメータアレイを、前記リワーク査定部により検査すること、および
前記不整合に対処するための候補を前記リワーク質問部により識別することであって、前記候補は、候補パーツ、候補リワーク手順、ならびに、前記候補パーツおよび前記候補リワーク手順の両方を含むグループから選択される、前記不整合に対処するための候補を識別すること
を備える使用することと、
前記ツールから、前記不整合に対するリワーク処理中に使用するための前記候補を識別することと
を備える方法。
（態様１０）
前記ツールは、前記不整合に対処するための第２の候補をさらに識別し、前記第２の候補は、第２の候補パーツ、第２の候補リワーク手順、ならびに、前記第２の候補パーツおよび前記第２の候補リワーク手順の両方を含むグループから選択され、前記方法は、
前記第２の候補の方を選ぶ、前記候補のユーザ選択を受信することをさらに備える、態様９に記載の方法。
（態様１１）
前記ツールは候補評価部をさらに備え、使用することは、前記不整合に対処するための第２の候補を識別することをさらに備え、前記第２の候補は、第２の候補パーツ、第２の候補リワーク手順、ならびに、前記第２の候補パーツおよび前記第２の候補リワーク手順の両方を含むグループから選択され、前記方法は、
前記リワークパラメータアレイ、前記候補、および、前記第２の候補を解析することと、
前記第２の候補の方を選ぶように前記候補を選択することと
をさらに備える、態様９に記載の方法。
（態様１２）
前記ツールは、不整合評価部および有限要素モデル生成部をさらに備え、使用することは、
前記不整合評価部を使用して、前記リワークパラメータアレイを作り出すことと、
前記有限要素モデル生成部を使用して、前記リワークパラメータアレイを生成することと
をさらに備える、態様９に記載の方法。